(57)【要約】      （修正有）【課題】地面に対する抵抗を低減しつつ、バックスピン量を増大することかできるアイアン型ゴルフクラブヘッド、及びゴルフクラブセットを提供する。【解決手段】トップ面と、ソール面４と、これらの間を継ぐトウ面と、ボールを打撃するフェース面２と、を有するアイアン型ゴルフクラブヘッドであって、前記ソール面４は、トゥ−ヒール方向に延びる視認可能な境界線４１を頂部として、フェース−バック方向におけるフェース側に傾斜するリーディング面４２と、バック側に傾斜するトレーリング面４３とを備える。【選択図】図３
2015047305.tif 000002
【特許請求の範囲】
【請求項１】
トップ面と、ソール面と、これらの間を継ぐトウ面と、ボールを打撃するフェース面と、を有するアイアン型ゴルフクラブヘッドであって、
前記ソール面は、トゥ−ヒール方向に延びる視認可能な境界線を頂部として、フェース−バック方向におけるフェース側に傾斜するリーディング面と、バック側に傾斜するトレーリング面とを備えている、アイアン型ゴルフクラブヘッド。
【請求項２】
前記リーディング面及び前記トレーリング面は、平坦面状に形成されている、請求項１に記載のアイアン型ゴルフクラブヘッド。
【請求項３】
前記境界線を構成する前記ソール面の頂部は、前記ソール面の中央部分から前記トゥ側及びヒール側にいくにしたがって突出高さが低くなるように構成されている、請求項１または２に記載のアイアン型ゴルフクラブヘッド。
【請求項４】
前記境界線の中央部は、前記フェース側に凸となるように形成されている、請求項１から３のいずれかに記載のアイアン型ゴルフクラブヘッド。
【請求項５】
ロフト角が異なり、かつ請求項１から４のいずれかに記載のアイアン型ゴルフクラブヘッドを含む３本以上のゴルフクラブを有するゴルフクラブセットであって、
前記各ゴルフクラブにおいて、前記リーディング面のフェース−バック方向における幅は、前記ロフト角が小さい前記ゴルフクラブほど大きい、ゴルフクラブセット。
【請求項６】
ロフト角が異なり、かつ請求項１から４のいずれかに記載のアイアン型ゴルフクラブヘッドを含む３本以上のゴルフクラブを有するゴルフクラブセットであって、
前記各ゴルフクラブの前記ゴルフクラブヘッドを水平面に設置させた基準状態では、前記ロフト角が小さい前記ゴルフクラブほど、前記水平面と前記リーディング面とのなす角が小さくなるように構成されている、ゴルフクラブセット。
【発明の詳細な説明】
【技術分野】
【０００１】
本発明は、アイアン型ゴルフクラブヘッド、及びこれを備えたゴルフクラブセットに関する。
【背景技術】
【０００２】
従来より、アイアン型のゴルフクラブにおいて、バックスピン量を向上するため、種々の提案がなされている。例えば、特許文献１では、アイアン型ゴルフクラブのソール部に突出部を設けている。そして、スイングをした際に、地面に突出部が接触すると、その抵抗によってゴルフクラブヘッドは、ロフト角が減少する方向に変位する。これにより、ゴルフボールにはギア効果によってバックスピンが発生する。このバックスピンの方向は、ロフト角に応じて発生するバックスピンの方向と同一であるため、結果としてバックスピン量が増大する。
【先行技術文献】
【特許文献】
【０００３】
【特許文献１】特許第４５２５３０２号公報
【発明の開示】
【発明が解決しようとする課題】
【０００４】
しかしながら、上記のようなゴルフクラブヘッドでは、突出部が設けられているため、地面に対する抵抗が過度に大きくなり、その結果、スイング速度が低下するとともに、クラブを振り抜くための抜け性能が低下するおそれがある。また、このような突出部が設けられていないゴルフクラブヘッドであっても、例えば、ソール面が円弧状の凸面により形成されている場合には、凸面によって上述したのと同様の抵抗が生じるおそれがある。本発明は、上記問題を解決するためになされたものであり、地面に対する抵抗を低減しつつ、バックスピン量を増大することかできるアイアン型ゴルフクラブヘッド、及びゴルフクラブセットを提供することを目的とする。
【課題を解決するための手段】
【０００５】
本発明は、トップ面と、ソール面と、これらの間を継ぐトウ面と、ボールを打撃するフェースと、を有するアイアン型ゴルフクラブヘッドであって、前記ソール面は、トゥ−ヒール方向に延びる視認可能な境界線を頂部として、フェース−バック方向におけるフェース側に傾斜するリーディング面と、バック側に傾斜するトレーリング面とを備えている。
【０００６】
上記各ゴルフクラブヘッドにおいては、前記リーディング面及び前記トレーリング面は、平坦面状に形成することができる。
【０００７】
上記各ゴルフクラブヘッドにおいては、前記境界線を構成する前記ソール面の頂部は、前記ソール面の中央部分から前記トゥ側及びヒール側にいくにしたがって突出高さが低くなるように構成することができる。
【０００８】
上記各ゴルフクラブヘッドにおいては、前記境界線の中央部は、前記フェース側に凸となるように形成することができる。
【０００９】
本発明に係る第１のゴルフクラブセットは、ロフト角が異なり、かつ上述したいずれかのアイアン型ゴルフクラブヘッドを含む３本以上のゴルフクラブを有するゴルフクラブセットであって、前記各ゴルフクラブにおいて、前記リーディング面のフェース−バック方向における幅は、前記ロフト角が小さい前記ゴルフクラブほど大きい。
【００１０】
本発明に係る第２のゴルフクラブセットは、ロフト角が異なり、かつ上述したいずれかのアイアン型ゴルフクラブヘッドを含む３本以上のゴルフクラブを有するゴルフクラブセットであって、前記各ゴルフクラブの前記ゴルフクラブヘッドを水平面に設置させた基準状態では、前記ロフト角が小さい前記ゴルフクラブほど、前記水平面と前記リーディング面とのなす角が小さくなるように構成することができる。
【発明の効果】
【００１１】
本発明に係るゴルフクラブヘッドでは、次の効果を得ることができます。まず、通常のアイアン型ゴルフクラブヘッドでは、ソール面が円弧状の凸面により形成されているため、スイングの際には、地面と接触する領域が大きくなり、抵抗が増大する。これにより、スイング速度も低下する。また、凸面の頂部が地面を通過した後も、凸形状により、クラブを振り抜く際の抵抗は依然として残り、抜け性能が低下するという問題がある。
【００１２】
そこで、本発明に係るゴルフクラブヘッドでは、ソール面に、トゥ−ヒール方向に延びる境界線を頂部として、フェース−バック方向におけるフェース側に傾斜するリーディング面と、バック側に傾斜するトレーリング面とを備えているため、次のような効果を得ることができる。すなわち、スイングを開始すると、ソール面の頂部までは、凸面ではなく、頂部から傾斜するリーディング面が形成されているため、地面との抵抗を低減でき、スイング速度の低下を抑制することができる。そして、リーディング面とトレーリング面との交差部分である頂部において集中的に抵抗を受けることができるため、このポイントにおいてロフト角が低減する方向に一気にヘッドを変位させることができる。その結果、効率的に、且つ安定的にギア効果を得ることができ、ボールのバックスピン量を増大させることができる。
【００１３】
このように、本発明に係るゴルフクラブヘッドでは、ソール面が抵抗を受けるポイントを集中させることで、効率的にギア効果を得ることができる。すなわち、ソール面が凸面で形成されている場合には、ソール面全体で抵抗を受けるため、抵抗が分散し、安定的なギア効果を得ることができず、得られるバックスピン量も安定しないが、本発明では、上記のように、この問題を解消することができる。また、ソール面の頂部が地面を通過した後も、頂部からバック方向へは凸面ではなく、頂部から傾斜するトレーリング面が形成されているため、クラブを振り抜く際の抵抗を小さくすることができ、抜け性能を向上することができる。
【００１４】
また、本発明に係る第１のゴルフクラブセットにおいては、次の効果を得ることができる。例えば、前記リーディング面のフェース−バック方向における幅が長いと、スイング時に、ソール面の端部が地面と対向してからソール面の頂部が地面と接触するまでの時間が長くなる。これにより、スイング時にはギア効果が生じるまでの時間が長くなる。ここで、ロフト角が小さいロングアイアンなどは、ボールとフェース面との接触時間が長いため、ギア効果が生じるまでの時間が長い方が好ましい。一方、ロフト角が大きいショートアイアンなどは、ボールとフェース面との接触時間が短いため、ギア効果が生じるまでの時間は短い方が好ましい。本発明に係るゴルフクラブセットでは、リーディング面のフェース−バック方向における幅を、ロフト角が小さいゴルフクラブほど大きくしているため、上述したようなロングアイアン、ショートアイアンの特性を活かし、適切なタイミングでギア効果を生じさせることができる。
【００１５】
また、本発明に係る第２のゴルフクラブセットでは、前記各ゴルフクラブのゴルフクラブヘッドを水平面に設置させた基準状態で、前記ロフト角が小さい前記ゴルフクラブほど、前記水平面と前記リーディング面とのなす角が小さくなるように構成している。例えば、ショートアイアンにおいては、ロフト角が大きいため、ロングアイアンよりもバックスピン量が大きいのであるが、その効果をさらに顕著にするためには、大きいギア効果を得る必要がある。そのためには、ソール面の頂部と地面とが接触したときに、ヘッドの変位が大きくなれば、ギア効果の増大が期待できる。そこで、上記のように、前記ロフト角が小さい前記ゴルフクラブほど、前記水平面と前記リーディング面とのなす角が小さくなるように構成すると、ロフト角を小さくする方向のヘッドの変位を大きくすることができる。よって、高いギア効果を得ることができ、バックスピン量を増大することができる。
【図面の簡単な説明】
【００１６】
【図１】アイアン型ゴルフクラブヘッド１を規定のライ角及びロフト角（ともに図示せず）で地面Ｇに接地させた基準状態の側面図である。
【図２】図１のゴルフクラブヘッドを下側から見た底面図である。
【図３】図２のＡ−Ａ線断面図である。
【図４】図１のゴルフクラブヘッドの地面付近のスイングの軌道を示す概略断面図である。
【図５】ギア効果を説明する概略断面図である。
【図６】本発明に係るゴルフクラブセットのゴルフクラブを示す底面図である。３番（ａ）、６番（ｂ）、及び９番（ｃ）のアイアン型ゴルフクラブヘッドをソール面から見た底面図である。
【図７】図６の断面図である。
【図８】本発明に係る他のヘッドをソール側から見た底面図（ａ）、図８（ａ）のＢ−Ｂ線断面図（ｂ）、図８（ａ）のＣ−Ｃ線断面図（ｃ）、図８（ａ）のＤ−Ｄ線断面図（ｄ）である。
【図９】本発明に係る他のヘッドをソール側から見た底面図である。
【発明を実施するための形態】
【００１７】
以下、本発明の一実施形態に係るゴルフクラブヘッドについて図面を参照しつつ説明する。図１はアイアン型ゴルフクラブヘッド１を規定のライ角及びロフト角（ともに図示せず）で地面Ｇに接地させた基準状態の側面図、図２は図１のゴルフクラブヘッドを下側から見た底面図である。なお、本実施形態では、３番のアイアン型ゴルフクラブヘッドを例にして説明する。
【００１８】
＜１．ゴルフクラブヘッドの構造＞
図１及び図２に示すように、本実施形態に係るアイアン型ゴルフクラブヘッド（以下、単に「ヘッド」又は「クラブヘッド」ということがある。）１は、ボールを打撃するフェース面２と、このフェース面２の上縁に連なりかつヘッド上面を形成するトップ面３と、フェース面２の下縁に連なりヘッド底面を形成するソール面４と、トップ面３とソール面４との間を滑らかに湾曲して継ぐトウ面５と、フェース面２と反対側の面をなすバック面６と、を備えている。そして、トップ面３において、トウ面５と反対側の端部には、シャフト２０が装着されるシャフト差込孔９１を有するホーゼル部９が設けられている。この差込孔９１の中心軸線Ｚは、シャフト２０の軸線に一致している。
【００１９】
ここで、上述した基準状態について説明する。まず、図１及び図２に示すように、上記中心軸線Ｚが水平面（地面Ｇ）に対して垂直な平面Ｐ（図１（ｂ）参照）に含まれ、且つ所定のライ角及びリアルロフト角で地面Ｇ上にヘッド１が載置された状態を基準状態と規定する。そして、上記平面Ｐを基準垂直面Ｐと称する。また、上記基準垂直面Ｐと上記地面Ｇとの交線の方向をトウ−ヒール方向と称し、このトウ−ヒール方向に対して垂直であり且つ上記地面Ｇに対して平行な方向をフェース−バック方向と称することとする。
【００２０】
本実施形態のヘッド１は、金属材料からなるフェース板をフェース面とし、このフェース板とは異なる金属材料からなりかつフェース板を前面に配するヘッド本体とから構成される。ただし、ヘッド１は、１種の金属材料を鍛造又は鋳造して形成されたものでも良い。
【００２１】
次に、このゴルフクラブヘッドのソール面４について、図３も参照しつつ説明する。図３は図２のＡ−Ａ線断面図である。本実施形態に係るソール面４は、トゥ−ヒール方向において若干湾曲しているが、図３に示すように、フェース−バック方向においては、ソール面４の中央付近で、トゥ−ヒール方向に直線状に延びる境界線４１を頂部として、フェース側にリーディング面４２、バック側にトレーリング面４３が形成されている。これらは、境界線４１からフェース側、及びバック側にそれぞれ延びる平坦状の傾斜面によって構成されている。このため、ソール面４の断面形状は、境界線４１を頂部とした山形になっており、境界線４１は視認可能な線となっている。
【００２２】
＜２．ゴルフクラブヘッドの特徴＞
続いて、上記のように構成されたアイアン型ゴルフクラブヘッドの特徴について、図４及び図５を参照しつつ説明する。図４はこのゴルフクラブヘッドの地面付近のスイングの軌道を示す概略断面図であり、図５はギア効果を説明する概略断面図である。
【００２３】
図４のゴルフクラブヘッド１には、対比のため、ソール面４が円弧状の凸面の断面形状を合わせて記載している。スイングの過程で、ヘッド１が地面Ｇに近接すると、まず、ソール面４におけるフェース側の端部から地面Ｇに対向し（図４（ａ））、その後、頂部４１が最下点に位置した後（図４（ｂ））、バック側の端部と地面Ｇが対向しつつ（図４（ｃ））、ヘッド１は地面Ｇから離れていく。この過程において、ソール面４が円弧状の凸面で形成されていると、図４（ａ）に示すように、頂部４１が地面Ｇに接触する前にソール面４のフェース側が地面Ｇに接触する。そのため、頂部４１が最下点に達するまでに、ソール面４は地面Ｇからの抵抗を受け始める。
【００２４】
一方、本実施形態のソール面４においては、頂部４１から平坦状のリーディング面４２が形成されているが、このリーディング面４２は凸面のように地面Ｇへ突出していない。そのため、凸面と比べ、図４（ａ）に示すように、地面との接触が少なくなるため、地面Ｇとの抵抗を低減することができる。その結果、スイング速度の低下を抑制することができる。そして、本実施形態のソール面４では、スイングが進むと、図４（ｂ）に示すように、頂部４１において集中的に地面Ｇからの抵抗を受けるため、ここで、一気にギア効果が生ずる。すなわち、図５に示すように、ソール面４の頂部４１で地面Ｇから抵抗を受けると、ヘッド１は、ロフト角が小さくなるように、図５の矢印Ａの方向へ変位する（変位後の位置は点線）。この変位により、ボール１００には、バックスピンＢがより強く生じ、ボール１００のバックスピン量が増大する。なお、図５に示すように、ボール１００はヘッド１の重心５０より下方で打撃されているため、これによってもヘッド１は矢印Ａの方向に変位しギア効果を得ることができる。
【００２５】
一方、ソール面４が凸面である場合にも、バックスピンは生じ得るが、上記のように、頂部４１が地面Ｇと接触する前に、頂部４１よりもフェース側で凸面が既に抵抗を受けているため、ソール面４が受ける抵抗が分散する。したがって、本実施形態のヘッド１のように、頂部４１において抵抗を一気に受ける場合に比べ、ボール１００に生じるバックスピン量は格段に小さい。また、凸面による抵抗を受けるため、スイング速度が低下する可能性もあるため、これによってもバックスピン量の増大は期待できない。
【００２６】
また、ソール面４の頂部４１が地面Ｇを通過した後は、図４（ｃ）に示すように、トレーリング面４３が地面Ｇと対向するが、リーディング面４１と同様に、地面Ｇへ突出していないため、地面Ｇから受ける抵抗が低減される。その結果、クラブを振り抜く際のスイング速度の低減を防止でき、抜け性能を向上することができる。
【００２７】
以上の効果をまとめると、本実施形態によれば、ソール面４に、トゥ−ヒール方向に延びる境界線４１を頂部として設け、この境界線４１を挟んで、フェース側に平坦状に傾斜するリーディング面４２、及びバック側に平坦状に傾斜するトレーリング面４３を形成している。これらの面は、円弧状の凸面からなるソール面に比べ、地面Ｇに対して突出していないため、スイング時に地面Ｇから受ける抵抗を低減できる。その結果、スイング速度の低下を防止できるとともに、抜け性能も向上することができる。また、リーディング面４２が地面から抵抗を受けにくいため、頂部４１において集中的に抵抗を受けることができる。そのため、上述したように、ギア効果を一気に生じさせることができ、ボール１００のバックスピン量を増大することができる。
【００２８】
＜３．ゴルフクラブセット＞
続いて、上記ゴルフクラブヘッドを有するゴルフクラブセットの一実施形態について説明する。上記実施形態では、３番のアイアン型ゴルフクラブヘッドを例にしたが、ソール面４の形態は、ヘッド１のロフト角に応じて変化させてもよい。この点について、図６を参照しつつ説明する。図６は、３番（ａ）、６番（ｂ）、及び９番（ｃ）のアイアン型ゴルフクラブヘッドをソール面から見た底面図である。
【００２９】
図６に示すように、３つのゴルフクラブヘッドでは、リーディング面４２のフェース−バック方向における幅Ｌ１，Ｌ２，Ｌ３が、ロフト角が小さいゴルフクラブほど大きくなっている。すなわち、３番アイアンのリーディング面４２の幅Ｌ１が最も大きく、９番アイアンの幅Ｌ３が最も小さくなっている。例えば、３番アイアンでは、平面視におけるソール面４の幅のうち、リーディング面４２の幅Ｌ１を４０〜６０％、６番アイアンでは、リーディング面４２の幅Ｌ２を３０〜５０％とすることができる。また、９番アイアンでは、平面視におけるソール面４の幅のうち、リーディング面４２の幅Ｌ３を２０〜４０％とすることができる。このように、アンアンの種類によりリーディング面の幅を変更することで、次のような効果を得ることができる。
【００３０】
例えば、リーディング面４１のフェース−バック方向における幅が長いと、スイング時に、ソール面４の端部が地面Ｇと対向してからソール面４の頂部４１が地面Ｇと接触するまでの時間が長くなる。これにより、スイング時にはギア効果が生じるまでの時間が長くなる。ここで、ロフト角が小さいロングアイアン（例えば、３番）などは、打撃時においてボールとフェース面２との接触時間が長いため、スイング時においては、ギア効果が生じるまでの時間が長い方が好ましい。一方、ロフト角が大きいショートアイアン（例えば、９番）などは、打撃時におけるボールとフェース面２との接触時間が短いため、スイング時においては、ギア効果が生じるまでの時間は短い方が好ましい。そこで、本実施形態に係るゴルフクラブセットでは、上記のように、リーディング面４２のフェース−バック方向における幅Ｌ１，Ｌ２，Ｌ３を、ロフト角が小さいゴルフクラブほど大きくしている。そのため、上述したようなロングアイアン、ショートアイアンの特性を活かし、適切なタイミングでギア効果を生じさせることができる。
【００３１】
また、アイアンの種類によってソール面の形態を次のようにすることもできる。この点について、図７を参照しつつ説明する。図７は、３番（ａ）、６番（ｂ）、及び９番（ｃ）のアイアン型ゴルフクラブヘッドの断面図である。
【００３２】
ショートアイアンにおいては、ロフト角が大きいため、ロングアイアンよりもバックスピン量が大きいのであるが、その効果をさらに顕著にするためには、大きいギア効果を得る必要がある。そのためには、ソール面４の頂部４１と地面Ｇとが接触したときに、図５で示したようなヘッド１の変位が大きくなれば、ギア効果の増大が期待できる。そこで、図７の例では、ゴルフクラブヘッドを地面Ｇに設置させた基準状態で、図７（ａ）に示すようなロフト角が小さいゴルフクラブほど、地面Ｇとリーディング面４２とのなす角θが小さくなるように構成している。すなわち、図７（ａ）に示すロングアイアンにおいて角度θを小さくし、図７（ｃ）に示すショートアイアンにおいて角度θを大きくしている。したがって、ショートアイアンでは、この角度θが大きいため、ロフト角を小さくする方向のヘッド１の変位を大きくすることができる。よって、高いギア効果を得ることができ、打出し角を押さえながらバックスピン量を増大することができる。
【００３３】
また、ショートアイアンでは、ボールの接触時のヘッドの移動距離が短いため、リーディング面４２が長すぎると、入射角やヘッドスッピードによってヘッドの変位にバラつきが生じるおそれがある。そこで、ショートアイアンでは、リーディング面４２を短くすると、ショットの初期条件（例えば、打出角、スピン量）を安定化させ、ふけ上がりを防止することかできる。
【００３４】
一方、ロングアイアンでは、ボール接触時のヘッドの移動距離が長いため、リーディング面４２が長くても境界線４１による効果が得られる。したがって、境界線４１をバック側に設定することで、打出角が低くなることを抑制することができる。但し、境界線４１をフェース側に設定したとしても、ヘッドの変位を小さくすれば（地面とのなす角θを大きくしなければ）、打ち出し角が低くなることを抑制することができる。
【００３５】
＜４．変形例＞
以上、本発明の一実施形態について説明したが、本発明は、上記実施形態に限定されるものではなく、その趣旨を逸脱しない限りにおいて、種々の変更が可能である。
【００３６】
＜４．１＞
例えば、上記実施形態では、頂部の突出高さをトゥ−ヒール方向において一様にしているが、例えば、図８に示すように、これを変化させてもよい。図８（ａ）は、ヘッドをソール側から見た底面図、図８（ｂ）は図８（ａ）のＢ−Ｂ線断面図、図８（ｃ）は図８（ａ）のＣ−Ｃ線断面図、図８（ｄ）は図８（ａ）のＤ−Ｄ線断面図である。
【００３７】
図８に示すように、この例では、ソール面４において、トゥ−ヒール方向の中央部分で、頂部４１の突出高さを最も高くし（図８（ｃ））、トゥ側及びヒール側の端部においては、中央部分よりも頂部４１の突出高さを低くしている（図８（ｂ），（図８（ｄ））。このようにすると、上述した地面Ｇとの抵抗は、ソール面４の中央部分で最も大きくなり、トゥ側及びヒール側では低くなる。そのため、ソール面４の中央部分では、上述した抵抗が大きくなるため、ギア効果を効率的に得やすく、トゥ側及びヒール側の端部ではギア効果が低減する。そのため、ユーザは、ボールの打ち分けを行うことができる。すなわち、バックスピン量を増大させたいときは、ソール面４の中央部分で打撃し、バックスピン量をあまり増大させたくないときには、トゥ側及びヒール側の端部よりの領域で打撃することができる。なお、ここでいう突出高さとは、ソール面４のフェース側の端部と、バック側の端部とを結ぶ線(図８（ｂ）〜（ｄ）の点線)からの高さをいう。
【００３８】
＜４．２＞
上記実施形態では、ソール面４の境界線４１を直線状に形成しているが、必ずしも直線状でなくてもよく、トゥ−ヒール方向に延びる線であればよい。また、図９に示すように、フェース側に向けて凸となるように湾曲させることもできる。このように境界線４１を凸状に湾曲させると、ソール面４の中央部分ではリーディング面４２の幅が小さくなり、トゥ側及びヒール側ではリーディング面４２の幅が大きくなる。これにより、次の効果を得ることができる。
【００３９】
例えば、トゥダウンをすると、フェースは右を向きやすくなる。その結果、スライス又は右プッシュアウトのミスが起こりやすい。このとき、図９に示すように、トゥ側のリーディング面４２を中央部分に比べてやや広くすることで、フェース面２のトゥ側を適度に返らせボール軌道を中央方向に向かいやすくする。
【００４０】
一方、ハンドダウンすると、フック又は左に飛び出すミスが起こりやすい。このとき、図９に示すように、ヒール側のリーディング面４２を中央部分に比べて広くすることで、フェース面のヒール側を適度に返らせ、ボール軌道を中央方向に向かいやすくする。
【００４１】
したがって、ソール面４の境界線４１をフェース側に向けて凸状に湾曲させると、トゥ側及びヒール側におけるリーディング面４２の幅が大きくなるため、上述したような、トゥダウンやハンドダウンに起因するミスショットを矯正することができる。
【００４２】
＜４．３＞
上記実施形態では、リーディング面４２及びトレーリング面４３を平坦面状に形成しているが、これに限定されるものではない。例えば、図４に示したようなソール面全体に亘る円弧状の凸面でなければよく、リーディング面４２及びトレーリング面４３が、少なくとも視認可能な頂部を境界線４１とする傾斜面で形成されていればよい。例えば、これらの面は、厳密な平坦面でなくてもよく、少なくともソール面４の頂部４１を通過する円弧よりも曲率半径が大きい面であればよい。あるいは、リーディング面４２及びトレーリング面４３を凹状の曲面で形成することもできる。
＜４．４＞
【００４３】
本発明に係るアイアン型ゴルフクラブヘッドは、上記のように、ソール面４において、視認可能な境界線を挟んでリーディング面４２及びトレーリング面４３が形成されていればよい。したがって、トップ面、トウ面、フェース面、バック面の構成は特には限定されず、アイアン型ゴルフクラブヘッドとしての形態を備えていれば種々の態様が可能である。
【符号の説明】
【００４４】
１  ゴルフクラブヘッド
２  フェース面
３  トップ面
４  ソール面
４１  境界線(頂部)
４２  リーディング面
４３  トレーディング面
５  トゥ面
９  ホーゼル部
５０  ヘッド１の重心
【図１】
2015047305.tif 000003
【図２】
2015047305.tif 000004
【図３】
2015047305.tif 000005
【図４】
2015047305.tif 000006
【図５】
2015047305.tif 000007
【図６】
2015047305.tif 000008
【図７】
2015047305.tif 000009
【図８】
2015047305.tif 000010
【図９】
2015047305.tif 000011